(57)【特許請求の範囲】
【請求項１】
多数の第１チャンネルが設けられた第１コネクタと、一端が前記第１チャンネルにそれぞれ連通するように前記第１コネクタに設置された多数の光ファイバーと、前記光ファイバーの他端に設置され、前記光ファイバーの他端にそれぞれ連通する多数の第２チャンネルが形成された第２コネクタを含むパッチコードの極性を感知する極性感知器において、
前記パッチコードの第１コネクタに接続され、前記第１コネクタの第１チャンネルに順次的に光信号を入力する信号入力ユニットと、
前記パッチコードの第２コネクタに接続され、前記第２コネクタの第２チャンネルのうち前記光ファイバーを通過した前記光信号が出力される第２チャンネルを感知する信号感知部と、
前記信号感知部によって提供される感知情報に基づいて、前記パッチコードの極性を判別するための判別情報を提供する情報提供部を備え、
前記信号入力ユニットは、前記パッチコードの第１コネクタが接続される第１接続端子と、前記第１接続端子に入力するための光信号を発生させる光源、及び前記光源及び第１接続端子の間に設けられて前記光源から発生した光信号を前記第１接続端子に接続された前記第１コネクタの第１チャンネルに順次的に入力する信号出力部を備え、
前記信号出力部は、
前記光源に連結されて前記光源から入力光信号が入力される入力部と、
前記入力部に連結されて前記入力部を介して入力された前記入力光信号を多数の単位光信号に分光して出力することができるように、多数の出力導波路が設けられ、前記出力導波路の出力端は、前記第１接続端子に接続された前記第１コネクタの第１チャンネルにそれぞれ連結されるように形成された光分配部と、
前記出力導波路にそれぞれ設置されて熱によって前記出力導波路に入力された前記単位光信号を遮断するか、通過させる多数の光減衰器、及び前記光減衰器を制御する制御部を備えるパッチコード用極性感知器。
【請求項２】
前記情報提供部は、前記信号入力ユニットによって前記第１チャンネルのうち光信号が入力された第１チャンネルと、前記信号感知部によって前記第２チャンネルのうち前記第１チャンネルに入力された光信号の出力が感知された第２チャンネルについての情報をマッチングして表示する請求項１に記載のパッチコード用極性感知器。
【請求項３】
前記制御部は、前記出力導波路を通過する前記単位光信号が前記第１接続端子に接続された前記第１コネクタの第１チャンネルに既に設定された入力順序に従って順次的に入力されることができるように前記多数の光減衰器を制御する請求項１に記載のパッチコード用極性感知器。
【請求項４】
前記信号感知部は、
前記パッチコードの第２コネクタが接続される第２接続端子と、
前記第２接続端子に連結されるものであって、前記第２チャンネルから出力される光信号が入力されることができるように、前記第２接続端子に接続された前記第２コネクタの第２チャンネルにそれぞれ連通する多数の入力導波路が設けられた光検出器と、
前記光検出器の入力導波路に設置され、前記入力導波路に入力された前記光信号を感知する感知センサ部、及び
前記感知センサ部によって感知された情報に基づいて前記第２コネクタの第２チャンネルのうち前記光信号が出力された第２チャンネルを判別するチャンネル判別部を備える請求項１に記載のパッチコード用極性感知器。
【請求項５】
前記多数の光減衰器は、抵抗体を含んでなり、前記抵抗体によって発生する熱により、前記単位光信号を遮断するか、通過させる請求項１に記載のパッチコード用極性感知器。
【請求項６】
前記多数の光減衰器は、前記抵抗体に入力された電流によって発生する前記抵抗体の熱によって前記出力導波路を通過する前記単位光信号の光量を調節する請求項５に記載のパッチコード用極性感知器。
【発明の詳細な説明】
【技術分野】
【０００１】
本発明は、パッチコード用極性感知器に関する。より詳細には、パッチコードの極性を判別することができる情報を提供するパッチコード用極性感知器に関する。
【背景技術】
【０００２】
光パッチコードは、光伝送装備や光分配装置などで光回線の分岐、切替などに使用され、１０／１２５μｍ、５０／１２５μｍ、６２.５／１２５μｍなど様々な形態の光ファイバーと多様な種類の光コネクタを適用して製造される。
【０００３】
光パッチコードは、多数の光ファイバーからなる光ケーブルと、前記光ケーブルの両端にそれぞれ連結される第１及び第２コネクタを備える。このとき、第１及び第２コネクタには、各光ファイバーに連結される多数のチャンネルが設けられている。
【０００４】
第１及び第２コネクタには、平らな面のうちの１つにキーが形成されているが、このキーがコネクタの下側に位置する場合、キーダウンといい、キーがコネクタの上側に位置する場合、キーアップという。キーダウンまたはキーアップの方向でコネクタのチャンネルは、配列方向に沿って順番に番号が付けられ、Ｐ１、Ｐ２などで表示される。一般的に、チャンネルのうち最初のチャンネルに隣接したコネクタの側面に白い点が表示され、この白い点とキーの位置によりパッチコードケーブルの極性が決定される。
【０００５】
ＴＩＡ５６８標準で定義される極性に応じて３つのタイプのパッチコードが使用されるが、第１タイプのパッチコードは、光ファイバーが第１及び第２コネクタで同一の番号を有するチャンネルに連結される。第２タイプのパッチコードは、光ファイバーが第１コネクタのチャンネルに連結された順序の逆順で第２コネクタのチャンネルに連結される。例えば、１２個の光ファイバーを有するパッチコードの場合、第２タイプは、第１コネクタのＰ１に連結された光ファイバーが第２コネクタのＰ１２に連結され、第１コネクタのＰ２に連結された光ファイバーが第２コネクタのＰ１１に連結される。第３タイプのパッチコードは、相互隣接する光ファイバーが第１コネクタでの連結されたチャンネル番号と、第２コネクタでの連結されたチャンネル番号が互いに入れ代わっている。例えば、１２個の光ファイバーを有するパッチコードの場合、第３タイプは、第１コネクタのＰ１に連結された光ファイバーが第２コネクタのＰ２に連結され、第１コネクタのＰ２に連結された光ファイバーが第２コネクタのＰ１に連結され、第１コネクタのＰ３に連結された光ファイバーが第２コネクタのＰ４に連結され、第１コネクタのＰ４に連結された光ファイバーが第２コネクタのＰ３に連結される。
【０００６】
作業者は、作業環境または作業機器に応じて適切な極性のパッチコードを選択して作業しなければならない。しかし、作業者が目視でパッチコードの極性を判別しにくく、従来に使用されるパッチコード管理機でも容易にパッチコードの極性を判別しにくく、作業効率が低下する短所がある。
【発明の概要】
【発明が解決しようとする課題】
【０００７】
本発明は、前記のような問題点を改善するためのものであって、パッチコードのコネクタのチャンネルに順次的に光信号を入力し、出力される光信号を受信してパッチコードの極性を感知することができるパッチコード用極性感知器を提供することにその目的がある。
【課題を解決するための手段】
【０００８】
前記目的を達成するための本発明に係るパッチコード用極性感知器は、多数の第１チャンネルが設けられた第１コネクタ、一端が前記第１チャンネルにそれぞれ連通するように前記第１コネクタに設置された多数の光ファイバー、及び前記光ファイバーの他端に設置され、前記光ファイバーの他端にそれぞれ連通する多数の第２チャンネルが形成された第２コネクタを含むパッチコードの極性を感知する極性感知器である。
【０００９】
本発明に係るパッチコード用極性感知器は、前記パッチコードの第１コネクタに接続され、前記第１コネクタの第１チャンネルに順次的に光信号を入力する信号入力ユニットと、前記パッチコードの第２コネクタに接続され、前記第２コネクタの第２チャンネルのうち前記光ファイバーを通過した前記光信号が出力される第２チャンネルを感知する信号感知部と、前記信号感知部によって提供される感知情報に基づいて、前記パッチコードの極性を判別するための判別情報を提供する情報提供部を備える。
【００１０】
前記信号入力ユニットは、前記パッチコードの第１コネクタが接続される第１接続端子と、前記第１接続端子に入力するための光信号を発生させる光源、及び前記光源及び第１接続端子の間に設けられて前記光源から発生した光信号を前記第１接続端子に接続された前記第１コネクタの第１チャンネルに順次的に入力する信号出力部を備える。
【００１１】
前記信号出力部は、前記光源に連結されて前記光源から入力光信号が入力される入力部と、前記入力部に連結されて前記入力部を介して入力された前記入力光信号を多数の単位光信号に分光して出力することができるように、多数の出力導波路が設けられ、前記出力導波路の出力端は、前記第１接続端子に接続された前記第１コネクタの第１チャンネルにそれぞれ連結されるように形成された光分配部と、前記出力導波路にそれぞれ設置されて熱によって前記出力導波路に入力された前記単位光信号を遮断するか、通過させる多数の光減衰器、及び前記光減衰器を制御する制御部を備える。
【００１２】
前記情報提供部は、前記信号入力ユニットによって前記第１チャンネルのうち光信号が入力された第１チャンネルと、前記信号感知部によって前記第２チャンネルのうち前記第１チャンネルに入力された光信号の出力が感知された第２チャンネルについての情報をマッチングして表示することができる。
【００１３】
前記多数の光減衰器は、抵抗体を含んでなり、前記抵抗体によって発生する熱により、前記単位光信号を遮断するか、通過させることができる。
【００１４】
前記制御部は、前記出力導波路を通過する前記単位光信号が前記第１接続端子に接続された前記第１コネクタの第１チャンネルに既に設定された入力順序に従って順次的に入力されることができるように前記多数の光減衰器を制御することができる。
【００１５】
前記多数の光減衰器は、前記抵抗体に入力された電流によって発生する前記抵抗体の熱によって前記出力導波路を通過する前記単位光信号の光量を調節することができる。
【００１６】
前記信号感知部は、前記パッチコードの第２コネクタが接続される第２接続端子と、前記第２接続端子に連結されるものであって、前記第２チャンネルから出力される光信号が入力されることができるように、前記第２接続端子に接続された前記第２コネクタの第２チャンネルにそれぞれ連通する多数の入力導波路が設けられた光検出器と、前記光検出器の入力導波路に設置され、前記入力導波路に入力された前記光信号を感知する感知センサ部、及び前記感知センサ部によって感知された情報に基づいて前記第２コネクタの第２チャンネルのうち前記光信号が出力された第２チャンネルを判別するチャンネル判別部を備えることができる。
【発明の効果】
【００１７】
本発明に係るパッチコード用極性感知器は、パッチコードのコネクタのチャンネルに順次的に光信号を入力し、出力される光信号を受信してパッチコードの極性を感知することができるため、比較的迅速かつ正確にパッチコードの極性を判別することができる長所がある。
【図面の簡単な説明】
【００１８】
【図１】本発明に係るパッチコード用極性感知器の斜視図である。
【図２】図１のパッチコード用極性感知器のブロック図である。
【図３】図１のパッチコード用極性感知器の信号出力部の概略図である。
【発明を実施するための形態】
【００１９】
以下、添付した図面を参照して、本発明の実施形態に係るパッチコード用極性感知器について詳細に説明する。本発明は、多様な変更を加えることができ、様々な形態を有することができるところ、特定の実施形態を図面に例示して本文に詳細に説明しようとする。しかし、これは本発明を特定の開示形態について限定するものではなく、本発明の思想及び技術範囲に含まれるすべての変更、均等物ないし代替物を含むものと理解されなければならない。各図面を説明しながら類似の参照符号を類似の構成要素について使用した。添付された図面において、構造物の寸法は、本発明の明確性を期するために実際より拡大して示したものである。
【００２０】
第１、第２などの用語は、多様な構成要素を説明するために使用されることができるが、前記構成要素は、前記用語によって限定されてはならない。前記用語は、１つの構成要素を他の構成要素から区別する目的でのみ使用される。例えば、本発明の権利範囲を逸脱せずに、第１構成要素は、第２構成要素と命名することができ、同様に第２構成要素も第１構成要素と命名することができる。
【００２１】
本出願で使用した用語は、単に特定の実施形態を説明するために使用されたものであって、本発明を限定しようとする意図ではない。単数の表現は、文脈上明白に異なることを意味しない限り、複数の表現を含む。本出願において、「含む」又は「有する」などの用語は、明細書上に記載された特徴、数字、段階、動作、構成要素、部分品又はこれらを組み合わせたものが存在することを指定しようとするものであって、１つ又はそれ以上の他の特徴や数字、段階、動作、構成要素、部分品又はこれらを組み合わせたものの存在又は付加可能性を予め排除しないものと理解されなければならない。
【００２２】
他に定義しない限り、技術的や科学的な用語を含み、ここで使用されるすべての用語は、本発明の属する技術分野における通常の知識を有する者によって一般的に理解されるものと同じ意味を有する。一般的に使用される辞書に定義されている用語は、関連技術の文脈上で有する意味と一致する意味を有するものと解釈されなければならず、本明細書で明らかに定義しない限り、理想的な意味または過度に形式的な意味に解釈されない。
【００２３】
図１〜図３には、本発明に係るパッチコード用極性感知器１００が示されている。
【００２４】
図面を参照すると、前記パッチコード用極性感知器１００は、パッチコード１０に光信号を入力し、パッチコード１０から出力される光信号を感知して、パッチコード１０の極性を判別することができる情報を提供する装置である。
【００２５】
このとき、前記パッチコード１０は、多数の第１チャンネルが設けられた第１コネクタ１１と、一端が前記第１チャンネルにそれぞれ連通するように、前記第１コネクタ１１に設置された多数の光ファイバー１３と、前記光ファイバー１３の他端に設置され、前記光ファイバー１３の他端にそれぞれ連通する多数の第２チャンネルが形成された第２コネクタ１２を含む。このとき、第１及び第２コネクタ１１、１２は、チャンネルにナンバリングがされ、図面に示されていないが、一側面に白い点が表示されており、白い点から離れるほど数字が増加するようにチャンネルにナンバリングがされる。
【００２６】
前記パッチコード用極性感知器１００は、前記パッチコード１０の第１コネクタ１１に接続され、前記第１コネクタ１１の第１チャンネルに順次的に光信号を入力する信号入力ユニット２００と、前記パッチコード１０の第２コネクタ１２に接続され、前記第２コネクタ１２の第２チャンネルのうち前記光ファイバー１３を通過した前記光信号が出力される第２チャンネルを感知する信号感知部３００と、前記信号感知部３００によって提供される感知情報に基づいて、前記パッチコード１０の極性を判別するための判別情報を提供する情報提供部４００を備える。
【００２７】
信号入力ユニットは、第１本体２０１と、第１本体２０１に設けられ、前記パッチコード１０の第１コネクタ１１が接続される第１接続端子２０２と、前記第１接続端子２０２に入力するための光信号を発生させる光源２０３と、前記光源２０３及び第１接続端子２０２の間に設けられて、前記光源２０３から発生した光信号を前記第１接続端子２０２に接続された前記第１コネクタ１１の第１チャンネルに順次的に入力する信号出力部２１０と、前記信号出力部２１０の作動状態を表示することができるように、第１本体２０１の上面に設置された第１ディスプレイ部２０４を備える。
【００２８】
前記第１本体２０１は、内部に光源２０３、信号出力部２１０が設置されることができるように内部空間が設けられ、上面に第１ディスプレイ部２０４及び後述される信号出力部２１０の第１ボタン部２１５が設置されている。また、第１本体２０１は、図面に示されていないが、内部に光源２０３、第１ディスプレイ部２０４及び信号出力部２１０に電気を供給することができるバッテリーが設置されている。
【００２９】
第１接続端子２０２は、第１本体２０１の側面に設置され、パッチコード１０の第１コネクタ１１の端部が挿入されることができるように、第１挿入口（図示せず)が形成されている。一方、第１接続端子２０２は、図面に示されていないが、第１挿入口に挿入された第１コネクタ１１の第１チャンネルに対向する位置の内側面に、第１コネクタ１１の第１チャンネルにそれぞれ連通する多数の接続端が設けられている。前記第１接続端子２０２の接続端を介して第１コネクタ１１の各第１チャンネルに光信号が入力される。
【００３０】
光源２０３は、第１本体２０１の内部に設置され、所定波長の入力光信号を発生させる光発生手段が適用される。前記光源２０３は、従来の一般的に使用される光源２０３装置であるため、詳細な説明は省略する。
【００３１】
信号出力部２１０は前記光源２０３に連結されて前記光源２０３から入力光信号が入力される入力部２１１と、前記入力部２１１に連結されて前記入力部２１１を介して入力された前記入力光信号を多数の単位光信号に分光して出力することができるように、多数の出力導波路２１７が設けられた光分配部２１２と、前記出力導波路２１７にそれぞれ設置されて、前記出力導波路２１７に入力された前記単位光信号を遮断するか、通過させる多数の光減衰器２１３と、前記出力導波路２１７を通過する前記単位光信号が前記第１接続端子２０２に接続された前記第１コネクタ１１の第１チャンネルに既に設定された入力順序に従って順次的に入力されるように、前記光減衰器２１３を制御する制御部２１４を備える。
【００３２】
入力部２１１は、一側が光源２０３に連結され、光源２０３から入力された入力光信号が通過することができるように、メイン導波路２１６が設けられている。光分配部２１２は、前記入力部２１１の他側に、前記入力部２１１と一体に形成される。そして前記光分配部２１２には、入力部２１１のメイン導波路２１６から分岐した多数の出力導波路２１７が形成されている。このとき、前記出力導波路２１７は、図面に示されていないが、出力端が前記第１接続端子２０２に接続された前記第１コネクタ１１の第１チャンネルに連通するように、それぞれ第１接続端子２０２の接続端に連結されている。このとき、光分配部２１２の出力導波路２１７の出力端と第１接続端子２０２の接続端は、連結光ファイバーによって連結されることが好ましい。
【００３３】
光源２０３から入力部２１１のメイン導波路２１６に入力された入力光信号は、光分配部２１２の出力導波路２１７によって多数の単位光信号に分光され、第１接続端子２０２の接続端にそれぞれ入力される。第１接続端子２０２に入力された単位光信号は、第１コネクタ１１の第１チャンネルにそれぞれ入力される。
【００３４】
一方、図示された例では、光分配部２１２に１２個の出力導波路２１７が設けられた構造が示されている。しかし、光分配部２１２は、これに限定されるものではなく、パッチコード１０の光ファイバー１３の数または第１及び第２コネクタ１１、１２のチャンネル数によって、１１個以下または１３個以上が設けられることもできる。
【００３５】
光減衰器２１３は、多数個が光分配部２１２の出力導波路２１７にそれぞれ設置されて前記出力導波路２１７に入力された前記単位光信号を遮断するか通過させる。前記光減衰器２１３は、入力された電流によって前記出力導波路２１７を通過する前記単位光信号の光量を調節するＶＯＡのような可変減衰器が適用されることが好ましい。前記光減衰器２１３は、一側に抵抗体が設けられているが、前記抵抗体に電流が印加されると、前記抵抗体から熱が発生し、発生した熱によって通過する単位光信号の光量を減少させる。このとき、光減衰器２１３は、一定以上の電流が印加されると、出力導波路２１７を通過する単位光信号を遮断する。
【００３６】
一方、光減衰器２１３は、上述した例に限定するものではなく、出力導波路２１７を通る単位光信号を選択的に遮断させることができる光断続手段であれば何でも可能である。
【００３７】
制御部２１４は、前記光減衰器２１３に連結されて前記光減衰器２１３の作動を制御する。前記制御部２１４は、光減衰器２１３に順次的に電流を印加して光減衰器２１３を制御し、第１コネクタ１１の第１チャンネルに順次に単位光信号が入力されるように、光減衰器２１３を制御する。すなわち、第１コネクタ１１に既に設定されたナンバリングに基づいて、最初の第１チャンネルから１２目の第１チャンネルまで順次的に単位光信号が入力されるように、制御部２１４が光減衰器２１３を制御する。
【００３８】
一方、信号出力部２１０は、作業者が光源２０３の作動信号及び制御部２１４の設定値についての情報を入力するための第１ボタン部２１５をさらに備える。前記第１ボタン部２１５は、第１本体２０１の上面に設置され、光源２０３の作動信号及び制御部２１４の設定値の入力のための多数のボタンが設けられている。前記第１ボタン部２１５によって作業者が光源２０３の作動信号を入力すると、制御部２１４は光源２０３を作動させ、光減衰器２１３の作動を制御する。また、作業者は、第１ボタン部２１５によって単位光信号が入力された第１パネルの順序を再設定することもできる。
【００３９】
第１ディスプレイ部２０４は、光源２０３の作動状態または光減衰器２１３に対する制御部２１４の制御状態などを表示するものであって、第１本体２０１の上面に設置された表示パネルを備える。前記第１ディスプレイ部２０４は、ＬＥＤパネルまたはＬＣＤパネルが適用されることができる。
【００４０】
前記信号感知部３００は、第２本体３０１、前記第２本体３０１に設置され、前記パッチコード１０の第２コネクタ１２が接続される第２接続端子３０２と、前記第２接続端子３０２に連結されるものであって、前記第２チャンネルから出力される光信号が入力されることができるように、前記第２接続端子３０２に接続された前記第２コネクタ１２の第２チャンネルにそれぞれ連通する多数の入力導波路が設けられた光検出器３０３と、前記光検出器３０３の入力導波路に設置され、前記入力導波路に入力された前記光信号を感知する感知センサ部３０４、前記感知センサ部３０４によって感知された情報に基づいて前記第２コネクタ１２の第２チャンネルのうち前記光信号が出力された第２チャンネルを判別するチャンネル判別部３０５を備える。
【００４１】
第２本体３０１は、内部に光検出器３０３及び感知センサ部３０４が設置されることができるように内部空間が設けられ、上面に第２ディスプレイ部３０６及び後述される第２ボタン部３０７が設置されている。また、第２本体３０１は、図面に示されていないが、感知センサ部３０４及びチャンネル判別部３０５に電気を供給することができるバッテリーが設置されている。
【００４２】
第２接続端子３０２は、第２本体３０１の側面に設置され、パッチコード１０の第２コネクタ１２端部が挿入されることができるように、第２挿入口（図示せず)が形成されている。一方、第２接続端子３０２は、図面に示されていないが、第２挿入口に挿入された第２コネクタ１２の第２チャンネルに対向する位置の内側面に、第２コネクタ１２の第２チャンネルにそれぞれ連通する多数の接続端が設けられている。前記第２接続端子３０２の接続端を介して第２コネクタ１２の各第２チャンネルから出力された光信号が入力される。
【００４３】
光検出器３０３は、第２接続端子３０２に連結され、図面に示されていないが、内部に多数の入力導波路が形成されている。前記入力導波路は、単位光信号が通過するものであって、一端が第２接続端子３０２の接続端にそれぞれ連結されている。パッチコード１０の光ファイバー１３を通過した単位光信号は、第２コネクタ１２を介して第２接続端子３０２に入力され、第２接続端子３０２に入力された単位光信号は、第２接続端子３０２の接続端を介して光検出器３０３の入力導波路に入力される。
【００４４】
感知センサ部３０４は、多数個が入力導波路にそれぞれ設置されて、入力導波路を通過する単位光信号を感知する。前記感知センサ部３０４は、光信号を感知して感知信号を生成することができるように、従来の一般的に使用される光センシング手段であるため、詳細な説明は省略する。
【００４５】
チャンネル判別部３０５は、感知センサ部３０４から感知情報の提供を受け、感知情報を分析して単位光信号が出力された第２チャンネルを判別する。このとき、チャンネル判別部３０５は、図面に示されていないが、各入力導波路に連結される前記第２コネクタ１２の第２チャンネルに対するナンバリング情報が保存されたデータベースを備える。前記チャンネル判別部３０５は、感知センサ部３０４に入力された感知情報とデータベースに保存された第２チャンネルに対するナンバリング情報を比較して、第２チャンネルのうち単位光信号が入力された第２チャンネルを判別する。
【００４６】
一方、信号感知部３００は、第２本体３０１の上面に設置されて情報を表示する第２ディスプレイ部３０６及び作業者が作動信号を入力するための第２ボタン部３０７をさらに備える。
【００４７】
第２ディスプレイ部３０６は、感知センサ部３０４の感知情報または情報提供部４００から提供された判別情報などを表示するものであって、第２本体３０１の上面に設置された表示パネルを備える。前記第１ディスプレイ部２０４は、ＬＥＤパネルまたはＬＣＤパネルが適用されることができる。第２ボタン部３０７は、第２本体３０１の上面に設置され、感知センサ部３０４または第２ディスプレイ部３０６の作動信号を作業者が入力するための多数のボタンを備える。
【００４８】
情報提供部４００は、前記チャンネル判別部３０５及び信号出力部２１０の制御部２１４から情報の提供を受けて単位光信号が入力された第１チャンネルのナンバリング情報及び単位光信号が出力された第２チャンネルのナンバリング情報をマッチングして判別情報を生成する。前記情報提供部４００は、有線または無線によって信号出力部２１０の制御部２１４及びチャンネル判別部３０５に連結され、信号出力部２１０から提供された単位光信号が入力された第１チャンネルのナンバリング情報と、チャンネル判別部３０５から提供された単位光信号が出力された第２チャンネルのナンバリング情報を相互マッチングして、第２ディスプレイ部３０６によって表示する。すなわち、前記情報提供部４００は、前記信号入力ユニット２００によって前記第１チャンネルのうち光信号が入力された第１チャンネルと前記信号感知部３００によって前記第２チャンネルのうち前記第１チャンネルに入力された光信号の出力が感知された第２チャンネルについての情報を表示する。
【００４９】
作業者は、情報提供部４００によって第２ディスプレイ部３０６に表示された情報に基づいて検査対象パッチコード１０の極性を判断する。
【００５０】
上述されたように構成された本発明に係るパッチコード用極性感知器１００を利用したパッチコードの極性感知方法を詳細に説明すると、次の通りである。
【００５１】
まず、パッチコード１０の第１コネクタ１１及び第２コネクタ１２を信号入力ユニット２００の第１接続端子２０２及び信号感知部３００の第２接続端子３０２に連結する。第１コネクタ１１が第１接続端子２０２に連結され、制御部２１４は、第１コネクタ１１に既に設定されたナンバリングに基づいて、最初の第１チャンネルから１２目の第１チャンネルまで順次的に単位光信号が入力されるように光減衰器２１３を作動させる。
【００５２】
このとき、第１チャンネルに入力された単位光信号は、光ファイバー１３及び第２コネクタ１２の第２チャンネルを介して光検出器３０３の入力導波路に入力され、感知センサ部によって感知される。信号感知部３００のチャンネル判別部３０５は、感知センサ部３０４から感知情報の提供を受けて単位光信号が出力された第２チャンネルのナンバリング情報を判別する。判別された第２チャンネルのナンバリング情報は、情報提供部４００に転送され、情報提供部４００は、制御部２１４から提供された情報に基づいて単位光信号が入力された第１チャンネルのナンバリング情報と単位光信号が出力された第２チャンネルのナンバリング情報を相互マッチングして、第２ディスプレイ部３０６によって表示する。作業者は、第２ディスプレイ部３０６に出力された情報によって検査対象パッチコード１０の極性またはタイプを判別する。
【００５３】
本発明に係るパッチコード用極性感知器１００は、パッチコード１０のコネクタのチャンネルに順次的に光信号を入力し、出力される光信号を受信してパッチコード１０の極性を感知することができるため、比較的迅速かつ正確にパッチコード１０の極性を判別することができるという長所がある。
【００５４】
提示された実施形態についての説明は、任意の本発明の技術分野において通常の知識を有する者が本発明を利用したり、または実施することができるように提供される。このような実施形態に対する様々な変形は、本発明の技術分野において通常の知識を有する者にとって明白であり、ここに定義された一般的な原理は、本発明の範囲を逸脱することなく、他の実施形態に適用することができる。そして、本発明は、ここに提示された実施形態に限定されるものではなく、ここに提示された原理及び新規の特徴と一貫する最広義の範囲で解釈されなければならない。
【図１】
0006895199.tif 000002
【図２】
0006895199.tif 000003
【図３】
0006895199.tif 000004